(57)【特許請求の範囲】
【請求項１】
上型と該上型に対向する下型とを備える成形型において、前記下型に設けられたピン状部材を複数の強化繊維シートの所定位置に貫通させて、前記下型に前記複数の強化繊維シートを積層状態で配置する位置決め工程と、
前記成形型によって前記複数の強化繊維シートの積層体を賦形して該積層体に樹脂を含浸させる賦形工程とを含み、
前記ピン状部材は、前記賦形工程において前記樹脂を前記成形型のキャビティ内に注入する際に、前記ピン状部材の全体が、前記成形型のキャビティから退避した退避位置にあることを特徴とする維強化複合材料の製造方法。
【請求項２】
前記位置決め工程は、前記複数の強化繊維シートを積層してなる強化繊維シート積層体の所定位置に形成された厚さ方向に貫通する孔に、前記ピン状部材を挿入することによって位置決めすることを特徴とする請求項１に記載の繊維強化複合材料の製造方法。
【請求項３】
前記複数の強化繊維シートは、前記孔の周縁部において、接着剤によって互いに接合されていることを特徴とする請求項２に記載の繊維強化複合材料の製造方法。
【請求項４】
前記ピン状部材は、前記賦形工程において、前記上型の前記下型に対する接近移動に伴って前記退避位置に移動することを特徴とする請求項１〜３のいずれか１項に記載の繊維強化複合材料の製造方法。
【請求項５】
前記下型は、前記積層体の非配置位置に設けられて前記ピン状部材と連動して進退移動可能な当接部を備え、
前記賦形工程において、前記上型によって前記当接部が押圧されることで、前記ピン状部材が退避位置へ移動することを特徴とする請求項４に記載の繊維強化複合材料の製造方法。
【請求項６】
前記ピン状部材は、前記成形型から成形品を離型させるエジェクタピンを構成することを特徴とする請求項１〜５のいずれか１項に記載の繊維強化複合材料の製造方法。
【請求項７】
前記エジェクタピンは、筒状の外側エジェクタピンと、該外側エジェクタピンの内部に挿入される内側エジェクタピンと有し、
前記ピン状部材は、前記内側エジェクタピンを構成し、前記外側エジェクタピンは、前記位置決め工程において、前記積層体を支持することを特徴とする請求項６に記載の繊維強化複合材料の製造方法。
【発明の詳細な説明】
【技術分野】
【０００１】
本発明は、繊維強化複合材料の製造方法に関し、特に、複数の強化繊維シートを積層した積層体に、樹脂を含浸させることによって得られる繊維強化複合材料の製造方法に関する。
【背景技術】
【０００２】
近年、繊維強化複合材料の製造方法として、レジントランスファモールディング（ＲＴＭ）法や、反応射出成形（ＲＩＭ）法が用いられている。これらの方法では、複数の強化繊維シート（基材）を積層した積層体を金型内にセットし、型締めした後、未硬化の樹脂を注入し、積層体に含浸させて硬化させている。この方法によれば、樹脂が含浸されていないドライ基材からなる積層体を賦形するため、比較的複雑な形状の成形品を製造することが可能である。
【０００３】
一方、樹脂を含浸させる前のドライ基材からなる積層体は、搬送中に積層された強化繊維シートがバラバラになるなど、取扱性が悪い。そのため、通常、樹脂を含浸させる本賦形の前に、予備賦形（プリフォーム）工程を設定し、その後、本賦形用の金型にセットして、樹脂を含浸させている。
【０００４】
予備賦形工程では、予備賦形用の金型（予備賦形型）に一枚の強化繊維シートをセットし、その表面にパウダー状の固着材を散布し、その上に次の強化繊維シートを積層する。これらを順次繰り返して強化繊維シートの積層体を形成し、その後、予備賦形型によって型締めを行う。これにより、強化繊維シートどうしを固着するとともに、その後の本賦形に適した形状に予備賦形されたプリフォーム体を形成している。該プリフォーム体を本賦形用の金型（成形型）にセットすることにより、位置決めを容易にし、本賦形時の位置ずれを防止している。
【先行技術文献】
【特許文献】
【０００５】
【特許文献１】特開２００８−１７９１３０号公報
【発明の概要】
【発明が解決しようとする課題】
【０００６】
しかし、このような予備賦形工程を設定すると、予備賦形型や、予備賦形用のプレス装置が必要となるとともに、工数が増加し、生産コストの増加の原因となっていた。
【０００７】
本発明は、上記課題に鑑みてなされたものであって、その目的は、複数の強化繊維シートを積層した積層体に、樹脂を含浸させることによって得られる繊維強化複合材料において、成形型に複数の強化繊維シートをセットする際の位置決めが容易であり、生産コストを低減することができる繊維強化複合材料の製造方法を提供することにある。
【課題を解決するための手段】
【０００８】
上記目的を達成するために、請求項１に記載の繊維強化複合材料の製造方法は、上型と該上型に対向する下型とを備える成形型において、前記下型に設けられたピン状部材を複数の強化繊維シートの所定位置に貫通させて、前記下型に前記複数の強化繊維シートを積層状態で配置する位置決め工程と、前記成形型によって前記複数の強化繊維シートの積層体を賦形して該積層体に樹脂を含浸させる賦形工程とを含み、前記ピン状部材は、前記賦形工程において前記樹脂を前記成形型のキャビティ内に注入する際に、前記ピン状部材の全体が、前記成形型のキャビティから退避した退避位置にあることを特徴とする。
【０００９】
この構成によれば、成形型の位置決め工程において、下型のピン状部材を複数の強化繊維シート（すなわち、ドライ基材）の所定位置に貫通させることにより、複数の強化繊維シートを下型にセットする際の位置決めを容易に行うことができる。また、ピン状部材によって強化繊維シートの成形型内の位置ずれを防止することができる。また、この成形型によって、複数の強化繊維シートの積層体を賦形して、樹脂を含浸させる本賦形を行うことができるので、予備賦形型や予備賦形用のプレス装置を不要とすることができ、工数を削減して生産コストを低減することができる。
【００１０】
また、請求項２に記載の発明は、請求項１に記載の繊維強化複合材料の製造方法において、前記位置決め工程は、前記複数の強化繊維シートを積層してなる強化繊維シート積層体の所定位置に形成された厚さ方向に貫通する孔に、前記ピン状部材を挿入することによって位置決めすることを特徴とする。
【００１１】
この構成によれば、強化繊維シート積層体に形成された孔にピン状部材を挿入する簡易な作業で成形型内の位置決めを行うことができる。
【００１２】
また、請求項３に記載の発明は、請求項２に記載の繊維強化複合材料の製造方法において、前記複数の強化繊維シートは、前記孔の周縁部において、接着剤によって互いに接合されていることを特徴とする。
【００１３】
この構成によれば、位置決め用のピン状部材が挿入される孔の周縁部において、複数の強化繊維シートが互いに接合されているので、位置決めの際のシート間のずれを防止できる。また、位置決め用の孔から離れた部分の強化繊維シートを接合されていないフリーな状態にして、賦形の際の皺や撚れの発生を防止することができる。
【００１４】
請求項４に記載の発明は、請求項１〜３のいずれか１項に記載の繊維強化複合材料の製造方法において、前記ピン状部材は、前記賦形工程において、前記上型の前記下型に対する接近移動に伴って前記退避位置に移動することを特徴とする。
【００１５】
この構成によれば、賦形工程においてピン状部材が退避位置に移動するため、ピン状部材によって積層体に対する樹脂の含浸が阻害されることがない。
【００１６】
また、請求項５に記載の発明は、請求項１〜３のいずれか１項に記載の繊維強化複合材料の製造方法において、前記下型は、前記積層体の非配置位置に設けられて前記ピン状部材と連動して進退移動可能な当接部を備え、前記賦形工程において、前記上型によって前記当接部が押圧されることで、前記ピン状部材が退避位置へ移動することを特徴とする。
【００１７】
この構成によれば、下型に対する上型の相対移動に伴って、当接部を介してピン状部材を突出位置や退避位置に移動させることができるので、簡易な構造でピン状部材を賦形に適したタイミングで移動させることができる。
【００１８】
また、請求項６に記載の発明は、請求項１〜５のいずれか１項に記載の繊維強化複合材料の製造方法において、前記ピン状部材は、前記成形型から成形品を離型させるエジェクタピンを構成することを特徴とする。
【００１９】
この構成によれば、成形品を離型させるエジェクタピンを位置決め用のピンとして利用することができるので、成形型の部材コストを抑えることができる。
【００２０】
また、請求項７に記載の発明は、請求項６に記載の繊維強化複合材料の製造方法において、前記エジェクタピンは、有底の筒状である外側エジェクタピンと、該外側エジェクタピンの内部に挿入される内側エジェクタピンと有し、前記ピン状部材は、前記内側エジェクタピンを構成し、前記外側エジェクタピンは、前記位置決め工程において、前記積層体を支持することを特徴とする。
【００２１】
この構成によれば、内側エジェクタピンによって位置決めができるとともに、外側エジェクタピンによる支持作用により、位置決めされている部分が他の部分よりも後に下型の載置面に接触するように、強化繊維シートの積層体を載置面にソフトに載置させることができる。これにより、積層体に発生する皺や撚れを位置決め部分から離れたフリーな部分へ引き伸ばすことができ、積層体に皺や撚れが発生するのを効果的に防止することができる。
【発明の効果】
【００２２】
本発明に係る繊維強化複合材料の製造方法によれば、本賦形を行う成形型に強化繊維シートの積層体をセットする際の位置決めが容易であり、また、予備賦形型や予備賦形用のプレス装置を不要とすることができるので、生産コストを低減することができる。
【図面の簡単な説明】
【００２３】
【図１】繊維強化複合材料の中間製品である積層体を示す斜視図。
【図２】金型の断面図。
【図３】図２の破線ＩＩＩで示す領域の拡大断面図。
【図４】繊維強化複合材料の製造工程を説明する図。
【図５】繊維強化複合材料の製造工程を説明する図。
【図６】繊維強化複合材料の製造工程を説明する図。
【図７】繊維強化複合材料の製造工程を説明する図。
【図８】繊維強化複合材料の製造工程を説明する図。
【図９】繊維強化複合材料の製造工程を説明する図。
【図１０】繊維強化複合材料の製造工程を説明する図。
【図１１】金型の変形例を示す断面図。
【発明を実施するための形態】
【００２４】
以下、図面を参照して本発明の実施形態について説明する。なお、各図面は、要部を分かりやすく説明するために記載した模式図であり、寸法等を正確に示すものではない。図１は、繊維強化複合材料の中間製品である積層体（強化繊維シート積層体）１０を示す斜視図である。繊維強化複合材料は、積層体１０を賦形し、樹脂を含浸させて硬化することによって得られる。繊維強化複合材料は、航空機、自動車などに使用可能であり、特に軽量効果の高い材料として好適に用いられる。
【００２５】
積層体１０は、ドライ基材である複数枚の強化繊維シート１２−１〜１２−ｎを積層したものであり、積層した強化繊維シート１２が互いに接合された接合部１４と、接合部１４に形成された孔１６とを有する。図１において接合部１４にはドットを付している。
【００２６】
強化繊維シート１２を構成する強化繊維としては、例えば、炭素繊維やガラス繊維、アラミド繊維等を用いることができる。また、シートの形態として、織物や編物等のファブリック材、ＵＤ材（単一方向材）を使用することができる。積層体１０には、同一の強化繊維及びシート形態からなる強化繊維シート１２を複数積層したものの他、強化繊維やシート形態が異なる強化繊維シート１２を組み合わせたものとすることができる。ＵＤ材を用いる場合には、少なくとも２枚のシートの繊維方向が交差するように積層することが好ましい。本実施形態において積層体１０は、縦糸及び横糸を有する織物シートである強化繊維シート１２を複数枚積層している。
【００２７】
接合部１４は、積層体１０の表面の強化繊維シート１２−１から裏面の強化繊維シート１２−ｎまで接着剤を浸透させ、積層体１０において複数の強化繊維シート１２−１〜１２−ｎを部分的に接合した部位である。本実施形態において接合部１４は、スポット状であって積層体１０に複数設けられているが、接合部１４は、一以上設けられていればよく、スポット状以外の形状、例えば、線状であってもよい。接着剤としては、エポキシ樹脂等の熱硬化性樹脂や、ポリプロピレン等の熱可塑性樹脂を用いることができる。本実施形態では接着剤として、後述する賦形工程の成形温度未満で熱溶融可能な熱可塑性樹脂を用いている。この接合部１４は、積層体１０の所定の位置に設けられ、例えば、積層体１０の周縁部等、繊維強化複合材料を製品に加工する際に、製品として使用される部分以外の部位に設けられることが好ましい。
【００２８】
孔１６は、積層体１０の表面から裏面まで貫通する貫通孔（積層体の厚さ方向に貫通する孔）である。孔１６は、接合部１４の中央部に設けられ、孔１６の周縁部では、接着剤によって複数の強化繊維シート１２−１〜１２−ｎが互いに接合されている。孔１６は、積層体１０に設けられた複数の接合部１４のうち、少なくとも一つの接合部１４に形成されていればよく、図示例では、全ての接合部１４に孔１６を設けている。
【００２９】
このような積層体１０は、強化繊維シート１２間にプリフォーム材を散布することなく、単に複数の強化繊維シート１２−１〜１２−ｎを積層した後、この積層物に対して、表面から裏面まで部分的に接着剤を浸透させて接合部１４を形成し、この接合部１４に孔１６を形成することで得ることができる。
【００３０】
図２は、賦形装置における金型（本賦形を行う成形型）５１の断面図であり、図３は、図２の破線ＩＩＩで示す領域の拡大断面図である。なお、図２では、図３に示すピン状部材５６等の記載を省略している。金型５１は、上型５２と、下型５４とを備え、賦形装置を構成する図示しないプレス装置に取付けられる。
【００３１】
上型５２は可動型であり、プレス装置の昇降機構によって、固定型である下型５４に対して接近、離間するように上下動可能に構成される。下型５４に対して上型５２が接近することで、金型５１が閉じられ、下型５４の下側キャビティ形成面（積層体１０の載置面）５４ａと、上型５２の上側キャビティ形成面５２ａとの間にキャビティ（成形型の内部空間）が形成される。上側キャビティ形成面５２ａと、下側キャビティ形成面５４ａとは、それぞれ、積層体１０を成形して得られる繊維強化複合材料の形状に応じた凹凸形状を有する。積層体１０をこのキャビティ内に充填するように型締めを行うことで、積層体１０は所望の形状に成形される。
【００３２】
下型５４には、下型キャビティ形成面５４ａから突出可能なピン状部材５６と、ピン状部材５６に連結された当接部５８とが設けられる。
【００３３】
ピン状部材５６は、金型５１から成形品を離型させるエジェクタピンであり、下型５４の下側キャビティ形成面５４ａに複数配置される。図３では、一つのピン状部材５６と、これに連結された一つの当接部５８を記載しているが、他のピン状部材５６及び当接部５８も同様の構成であるので、ここでは省略する。ピン状部材５６は、下側キャビティ形成面５４ａに形成された上下方向に延びる第１挿入孔５５ａに挿入されており、この第１挿入孔５５ａに挿入された付勢手段５３により、上方（上型５２側）へ向かって付勢されて、下側キャビティ形成面５４ａから突出した突出位置にある。なお、本実施形態では付勢手段５３としてコイルスプリングを用いているが、付勢手段５３はこれに限られるものではない。
【００３４】
このピン状部材５６は、下型５４において積層体１０の位置決めをするための位置決め用ピンを兼ねている。複数のピン状部材５６は、それぞれ、下型５４に積層体１０をセットした状態において積層体１０に形成された複数の孔１６のそれぞれと対応する位置に配置される。
【００３５】
当接部５８は、型締めの際に上型５２が当接して押圧される部位であり、上型５２との対向面である下型５４の非キャビティ形成面（積層体１０の非配置位置となる面）５４ｂに配置される。なお、型締め状態において、非キャビティ形成面５４ｂは、上型５２の非キャビティ形成面５２ｂと当接する。当接部５８は筒状であり、非キャビティ形成面５４ｂに形成された上下方向に延びる第２挿入孔５５ｂに挿入される。第２挿入孔５５ｂは、下型５４の内部に形成された連通路５５ｃによって第１挿入孔５５ａと連通されている。当接部５８とピン状部材５６とは、この連通路５５ｃに配置された連結部５７を介して連結される。上型５２が下型５４から離間した状態において、当接部５８の先端部は、付勢手段５３の付勢力により、非キャビティ形成面５４ｂから上方（上型５２側）へ突出した突出位置にある。なお、当接部５６は、一つのピン状部材５６に対して一つ設けてもよいし、二以上のピン状部材５６に対して一つの当接部５８を設ける構成であってもよい。
【００３６】
ピン状部材５６及び当接部５８のそれぞれは、図３に示す突出位置において、下側キャビティ形成面５４ａ及び非キャビティ形成面５４ｂのそれぞれからの突出寸法Ｌ１，Ｌ２がほぼ等しくなるように設定されている。当接部５８が上型５２に押圧されると、付勢手段５３の付勢力に抗して当接部５８及びピン状部材５６のそれぞれが下方（下型５４側）へ移動し、下型５４の内部へ移動した退避位置（図７参照）となる。退避位置において、ピン状部材５６の先端面は、下側キャビティ形成面５４ａと面一状態となる。これにより、エピン状部材５６及び当接部５８は、下型５４から突出した突出位置と、下型５４内に退避した退避位置とに進退移動可能に構成される。
【００３７】
賦形装置は、所望の樹脂（マトリックス樹脂）を金型５１のキャビティ内に注入する図示しない注入機に接続される。マトリックス樹脂としては、例えば、エポキシ樹脂等の熱硬化性樹脂を用いることができる。
【００３８】
次に、上述した賦形装置５１を用いた繊維強化複合材料の製造方法について説明する。図４〜図１０は、繊維強化複合材料の製造工程の一部を示す説明図である。
【００３９】
まず、図４に示すように、上型５２が下型５４から離間した状態で、積層体１０の孔１６に下型５４に設けられたピン状部材５６を挿入して（つまり、複数の強化繊維シート１２−１〜１２−ｎにピン状部材５６を貫通させて）、下型５４に対する積層体１０の位置決めを行う（位置決め工程）。図示していない他の孔１６についても同様に、それぞれ、対応する位置に配置されたピン状部材５６を挿入することで、下型５４内の位置決めを行うことができる。
【００４０】
次に、図５〜図７に示すように、昇降機構を作動させ、上型５２を下型５４に接近させ、型締めする（賦形工程）。上型５２が接近すると、上型５２の一部が下型５４に設けられた当接部５８に当接して、これを押圧する。すると、当接部５８及びピン状部材５６のそれぞれが、上型５２に接近移動に連動して、第１挿入孔５５ａ及び第２挿入孔５５ｂのそれぞれに沿って下型５２内に移動し、金型５１のキャビティから退避した退避位置となる。
【００４１】
図７に示す型締め状態において、注入機からマトリックス樹脂をキャビティ内へ注入し、積層体１０にマトリックス樹脂を含浸させ、硬化させる。このとき、ピン状部材５６は退避位置にあり、積層体１０の孔１６の内部にもマトリックス樹脂が含浸する。また、接合部１４を構成する熱可塑性樹脂からなる接着剤は熱溶融し、マトリックス樹脂が硬化した成形品１１には接合部１４が残らない形態となる。図７〜図１０では、成形品１１においてマトリックス樹脂が含浸された領域にドットを付している。
【００４２】
その後、図８及び図９に示すように、昇降機構を作動させ、上型５２を下型５４から離間させる。すると、図１０に示すように、付勢手段５３の付勢力によって、ピン状部材５６及び当接部５８とが突出位置へ移動する。このとき、成形品１１は、エジェクタピンであるピン状部材５６によって離型する。
【００４３】
上述の繊維強化複合材料の製造方法では、位置決め工程において、積層体１０に形成された孔１６にピン状部材５６を挿入する簡易な作業によって、金型５１内の位置決めを行うことができる。また、ピン状部材５６によって強化繊維シート１２の金型１２内の位置ずれを防止することができる。さらに、孔１６の周縁部において、複数の強化繊維シート１２が互いに接合されているので、位置決めの際のシート間のずれを防止できる。また、孔１６から離れた部分では、複数の強化繊維シート１２が接合されていないフリーな状態であるので、賦形の際に積層体１０に発生する皺や撚れをこのフリーな部分へ引き伸ばすことができ、これにより、皺や撚れの発生を防止できる。このように、上述の製造方法では、予備賦形工程を経ることなく、積層体１０を金型５１によって位置ずれや皺・撚れの発生を防止しながら本賦形し、樹脂を含浸させることができる。そのため、予備賦形型や予備賦形用のプレス装置を不要とすることができ、工数を削減して生産コストを低減することができる。
【００４４】
また、成形品１１を離型させるエジェクタピンを位置決め用のピン状部材５６として利用することができるので、金型５１の部材コストを抑えることができる。また、賦形工程では、ピン状部材５６がキャビティ内から退避した退避位置に移動するため、ピン状部材５６によってマトリックス樹脂の含浸が阻害されることがない。また、ピン状部材５６は、下型５４に対する上型５２の相対移動に伴って、当接部５８を介して突出位置や退避位置に移動させることができるので、簡易な構造でありながら、賦形に適したタイミングで移動させることができる。
【００４５】
図１１は、金型５１の変形例を示す断面図であり、下型５４の下側キャビティ形成面５４ａに設けられたエジェクタピン６０を示す拡大断面図である。なお、図１１では、下型５４に対して積層体１０を位置決めした状態であって、上型５２を接近させる前の状態（すなわち、賦形工程前の状態）を示している。変形例では、下型５４に設けられたエジェクタピン６０が、筒状の外側エジェクタピン６１と、外側エジェクタピン６１の内部に挿入された軸状の内側エジェクタピンとを有する二重構造になっている。内側エジェクタピンは、位置決め工程における位置決め用のピン状部材５６を構成している。
【００４６】
外側エジェクタピン６１は、下型５４の第１挿入孔５５ａに挿入され、この第１挿入孔５５ａに挿入された付勢部材６２により、上方（上型５２側）へ向かって付勢される。外側エジェクタピン６１の外径寸法は、積層体１０の孔１６の径寸法よりも大きく設定され、その先端面６１は、平面状をなす。
【００４７】
ピン状部材５６は、外側エジェクタピン６１の内部に挿入された付勢手段５３により、上方へ向かって付勢され、先端部が外側エジェクタピン６１の先端面６１ａから突出している。なお、ピン状部材５６は、連結部５７を介して図示していない当接部５８と連結される。ピン状部材５６の外径寸法は、孔１６の径寸法よりも小さく設定される。
【００４８】
このようなエジェクタピン６０を備えた下型５４では、ピン状部材５６によって位置決めができるとともに、図１１に示す積層体１０のセット状態において、外側エジェクタピン６１の先端面６１ａに積層体１０の裏面が接触する。このように、外側エジェクタピン６１によって、積層体１０の一部が支持されることにより、位置決めされている部分（すなわち、接合部１４）が他の部分よりも後に下側キャビティ形成面５４ａに接触するように、積層体１０をソフトに載置することができる。これにより、特に接合部１４付近で発生しやすい皺や撚れを接合部１４から離れた強化繊維シート１２がフリーな部分へ引き伸ばすことができ、積層体１０に皺や撚れが発生するのを効果的に防止することができる。
【００４９】
付勢部材６２の付勢力は、外側エジェクタピン６１に積層体１０が載置されることで、外側エジェクタピン６１が付勢力に抗して緩やかに退避位置に移動するように設定することができる。
【００５０】
また、これに変えて、積層体１０のセット状態において、積層体１０が外側エジェクタピン６１によって支持され、積層体１０の一部が下側キャビティ形成面５４ａから離間した状態が保持されるように、付勢部材６２の付勢力を設定してもよい。この場合、賦形工程において上型５２が下型５４に接近すると、外側エジェクタピン６１は、積層体１０を介して上型５２に押圧され、付勢部材６２の付勢力に抗して下型５４の内部に退避する。外側エジェクタピン６１は、退避位置となる金型５１の型締め状態において、先端面６１ａが下側キャビティ形成面５４ａと面一状態になる。
【００５１】
このように、上型５２の接近に伴って、外側エジェクタピン６１を退避位置に移動させることで、型締めの際に所定形状に屈曲される複数の強化繊維シート１２の余剰部分（シートに皺や撚れが生じる部分）を位置決め部分（すなわち接合部１４）から離れた強化繊維シート１２がフリーな部分へ引き伸ばすことができる。これにより、賦形時に積層体１０に発生する皺や撚れをより効果的に防止することができる。
【００５２】
なお、本変形例では、外側エジェクタピン６１を付勢部材６２によって上下動（進退移動）可能にしているが、付勢部材６２に変えて、外側エジェクタピン６１に接続された油圧式等の作動システムによって、外側エジェクタピン６１を適宜、進退移動可能な構成としてもよい。
【００５３】
なお、本発明は上述した実施形態及び変形例に限定されるものではなく、発明の趣旨を逸脱しない範囲で種々の変更が可能である。例えば、上述の位置決め工程では、下型５４に積層体１０をセットしているが、例えば、ピン状部材５６が先細のニードル状であって、このピン状部材５６に網目状の強化繊維シート１２−１〜１２−ｎを一枚ずつ突刺して、ピン状部材５６を強化繊維シートの所定位置に貫通させることにより、複数の強化繊維シート１２を積層状態としてもよい。
【符号の説明】
【００５４】
１０    積層体（強化繊維シート積層体）
１２    強化繊維シート
１４    接合部
１６    孔
５１    金型（成形型）
５２    上型
５４    下型
５６    ピン状部材
５７    連結部
５８    当接部
【図１】
0006731788.tif 000002
【図２】
0006731788.tif 000003
【図３】
0006731788.tif 000004
【図４】
0006731788.tif 000005
【図５】
0006731788.tif 000006
【図６】
0006731788.tif 000007
【図７】
0006731788.tif 000008
【図８】
0006731788.tif 000009
【図９】
0006731788.tif 000010
【図１０】
0006731788.tif 000011
【図１１】
0006731788.tif 000012